(57)【要約】【課題】本考案は、人間の目に見えないコードとともに用いることにより、コードの周辺に位置決め用マークがなくても、携帯電話のカメラで、コードが埋め込まれた画像を写して、コードを解読し、インターネット上の種々のコンテンツに接続することを可能とするコード埋め込み画像撮影用補助カードを提供することを目的とする。【解決手段】印刷物の画像の中に埋め込まれたコードを解読するために、携帯電話のカメラでコードが埋め込まれた印刷画像を撮影するときに用いるコード埋め込み画像撮影用補助カードにおいて、コードが埋め込まれている領域と同じ形状または、コードが埋め込まれている領域を含む所定の形状と同じ形状の開口部と、開口部の周辺に所定の色と形状の位置決め用マークと、を設置する。【選択図】図１
0003135616.tif 000002
【実用新案登録請求の範囲】
【請求項１】
印刷物の画像の中に埋め込まれたコードを解読するために、画像入力装置で、前記コードが埋め込まれた画像を撮影するときに用いるコード埋め込み画像撮影用補助カードであって、
前記コードが埋め込まれている領域を含む所定の形状の開口部と、
前記開口部の周辺に所定の色と形状の位置決め用マークと、を有することを特徴とするコード埋め込み画像撮影用補助カード。
【請求項２】
請求項１に記載のコード埋め込み画像撮影用補助カードにおいて、
前記位置決め用マークは黄色の十字の形状であることを特徴とするコード埋め込み画像撮影用補助カード。
【請求項３】
請求項１または2に記載のコード埋め込み画像撮影用補助カードにおいて、
前記コードが埋め込まれている領域と前記開口部の形状は長方形であって、
前記位置決め用マークは前記開口部の４隅の周辺に設置されていることを特徴とするコード埋め込み画像撮影用補助カード。
【請求項４】
請求項１乃至３のいずれかに記載のコード埋め込み画像撮影用補助カードにおいて、
前記開口部には透明なシートが設置されていることを特徴とするコード埋め込み画像撮影用補助カード。
【考案の詳細な説明】
【技術分野】
【０００１】
本考案は、画像の中に埋め込まれたコードを解読するために、コードが埋め込まれた画像を携帯電話のカメラ等の画像入力装置で撮影するときに使用するコード埋め込み画像撮影用補助カードに関する。
【背景技術】
【０００２】
近年、種々の印刷物上のコードが埋め込まれた画像を携帯電話のカメラ等で写すことにより、コードを解読し、インターネットを介して、種々のコンテンツに接続するというコードの利用形態が普及しつつある。特に携帯電話は、入力キーに制限があり、手でＵＲＬを入力するのは困難であり、有用な技術である。このようなコードが埋め込まれた画像は、一般的には、ＱＲコード（登録商標）の場合のように特徴のある形状を有して、人間の目に見えるものである。
【０００３】
しかし、新たに開発された、文献１に記載されている新たなコードは、画像の中に人間の目に見えない状態で埋め込むことができる。この人間の目に見えない状態で埋め込むことのできる新しいコード（以下「新コード」ともいう）が埋め込まれた画像は、特徴的な形状を有さず、美観に優れ、コードの存在が周囲の画像との調和を害しないという利点をもつ。
【０００４】
しかしながら、この新コードにおいても、携帯電話のカメラによって、新コードが埋め込まれた画像を撮影して、コードを解読するためには、画像のなかに埋め込まれているコードの位置を高精度で把握する必要があり、この新コードを使用する場合には、文献２に記載されているように埋め込まれたコードの周辺の所定の位置に、位置決め用マークを必要とする。
【０００５】
図３は位置決め用マークを示す説明図である。
図３において２０３は新コードが埋め込まれている領域であり、１０２は位置決め用マークである。
【０００６】
図２は新コードが埋め込まれている印刷物の一例を示す説明図である。
図２において、２０１は印刷物であり、２０２は印刷物の中の画像であり、２０３は新コードが埋め込まれている領域である。図２においては、描かれていないが、コード埋め込み画像撮影用補助カードを使用しない場合には、位置決め用マーク１０２を領域２０３の周辺に印刷する必要がある。
【特許文献１】特開  ２００４−３４９８７９
【特許文献２】特開  ２００５−２９３４０９
【考案の開示】
【考案が解決しようとする課題】
【０００７】
このような位置決め用マーク１０２は、目立つものではないが、この位置決め用マークク１０２を無くすることができれば、新コードを設置する場所や、新コードを埋め込む画像に対する編集の自由度が更に向上する。
【０００８】
そこで、本考案は、人間の目に見えない新コードとともに用いることにより、新コードの周辺に位置決め用マークがなくても、携帯電話のカメラ等の画像入力装置で、新コードが埋め込まれた画像を写して、新コードを解読し、インターネット上の種々のコンテンツに接続することを可能とするコード埋め込み画像撮影用補助カードを提供することを目的とする。
【課題を解決するための手段】
【０００９】
請求項１に記載された考案は、印刷物の画像の中に埋め込まれたコードを解読するために、画像入力装置で、前記コードが埋め込まれた画像を撮影するときに用いるコード埋め込み画像撮影用補助カードであって、
前記開口部の周辺に所定の色と形状の位置決め用マークと、を有することを特徴とする。
【００１０】
請求項２に記載された考案は、請求項１に記載のコード埋め込み画像撮影用補助カードに係り、
前記位置決め用マークは黄色の十字の形状であることを特徴とする。
【００１１】
文献２に記載された新コードにおける位置決め用マークが黄色の十字の形状であることに対応したものである。
【００１２】
請求項３に記載された考案は、請求項１または2に記載のコード埋め込み画像撮影用補助カードに係り、
前記コードが埋め込まれている領域と前記開口部の形状は長方形であって、
前記位置決め用マークは前記開口部の４隅の周辺に設置されていることを特徴とする。
【００１３】
文献２に記載された新コードの場合における、コードが埋め込まれている領域の形状と位置決め用マークの色と形状に対応させたものである。
【００１４】
請求項４に記載された考案は、請求項１乃至３のいずれかに記載のコード埋め込み画像撮影用補助カードに係り、
前記開口部には透明なシートが設置されていることを特徴とする。
前記開口部に透明なシートを設置することにより、開口部が補強されるからである。
【考案の効果】
【００１５】
本考案に係るコード埋め込み画像撮影用補助カードによれば、本来はコードの位置を示す位置決め用マークを所定の位置に設置することが必要なコードを使用する場合であっても、位置決め用マークを設置することなく、携帯電話でコードが埋め込まれた画像を写して、コードの内容を解読し、インターネット上の種々のコンテンツにリンクすることができる。その結果、コードを埋め込む画像の周辺に位置決め用マークを設置する必要が無くなり、コードを埋め込む印刷物をさらに美観の優れたものにすることが可能となり、印刷物の広告宣伝力、顧客吸引力を向上させることができる。
【考案を実施するための最良の形態】
【００１６】
以下、図を参照しつつ、本考案を実施するための最良の形態につき説明する。
（実施の形態１）
以下、図を参照して説明する。
【００１７】
図１は本考案に係るコード埋め込み画像撮影用補助カードの構成を示す説明図である。
図１において、１０１は本考案に係るコード埋め込み画像撮影用補助カードであり、１０２は位置決めマークであり、１０３は開口部である。
【００１８】
本考案に係るコード埋め込み画像撮影用補助カード１０１は名刺大の大きさの紙片に開口部１０３があり、開口部１０３の周辺に位置決めマーク１０２が存在している。開口部１０３の形状はコードが埋め込まれた領域と同じ形状、又は、コードが埋め込まれた領域を含む所定の形状と同じ形状である。形状は、例えば長方形である。ただし、長方形に限定されるものではない。位置決めマーク１０２の色と形状も、埋め込まれるコードを解読するための要請に基づいて定める。文献２に開示されているコードの場合は、位置決めマーク１０２は色が黄色で、形状は十字型の形状である。
【００１９】
開口部１０３と位置決めマーク１０２以外の場所には、何を印刷してもよい。したがって、本コード埋め込み画像撮影用補助カード１０１は名刺に開口部１０３と位置決めマーク１０２を設置したものであってもよい。本考案に係るコード埋め込み画像撮影用補助カードの材質は、特に限定されないが、紙、プラスチックが好適である。
【００２０】
次に、このコード埋め込み画像撮影用補助カード１０１を使用する態様について説明する。
図２は新コードが埋め込まれている印刷物の一例を示す説明図である。
図２において、２０１は印刷物であり、２０２は印刷物の中の画像であり、２０３は新コードが埋め込まれている領域である。
印刷物２０１は、例えば通販カタログであり、印刷物２０１に印刷された画像の一部の領域２０３の中に新コードが埋め込まれている。図２では、２つの領域２０３が存在している。この印刷物２０１の領域２０３を携帯電話のカメラで撮影すれば、携帯電話でインターネットを介して、所定のコンテンツに接続できる。なお、携帯電話には所定のソフトウエアー（以下「コードリーダ」という）が内臓されている必要がある。
【００２１】
携帯電話のカメラで領域２０３を写して、領域２０３の中に埋め込まれている新コードを解読させるためには、新コードが埋め込まれている画素の位置を高精度で、コードリーダに認識させる必要がある。このために、通常、コードには、コード自体の内部、またはコードの周辺の所定の位置に位置決めマークが付されている。図に基づいて説明する。
【００２２】
図３は、文献２に開示されている新コード用の位置決めマークの構成を示す説明図である。コードは領域２０３の中に埋め込まれている。この領域２０３の画像を携帯電話のカメラで撮影すると、カメラの画素のなかに領域２０３の画像データが取り込まれ、コードリーダは取り込まれた画像データを解析することにより、コードを解読する。
【００２３】
ここで、画像データを解析するためには、解析する対象となる画素の位置を高精度でコードリーダが把握する必要がある。位置決めマーク１０２と領域２０３の相対的な位置関係を定めておけば、コードリーダは位置決めマーク１０２の位置を把握できれば、該相対的な位置関係から領域２０３の位置を高精度で把握することができる。
【００２４】
次に、本考案に係るコード埋め込み画像撮影用補助カードを用いて携帯電話のカメラでコードが埋め込まれた画像を撮影する具体的な態様について説明する。
図４は本考案に係るコード埋め込み画像撮影用補助カードを印刷物２０１の上に置いた様子を示す説明図である。
コード埋め込み画像撮影用補助カード１０１は印刷物２０１の中の領域２０３がコード埋め込み画像撮影用補助カード１０１の開口部１０３に合うように印刷物２０１の上に置かれる。
【００２５】
この状態で、携帯電話のカメラで、領域２０３を撮影する。
コード埋め込み画像撮影用補助カード１０１の開口部１０３の周辺には位置決めマーク１０２が付されているので、印刷物２０１に位置決めマーク１０２が印刷されていなくても、コード埋め込み画像撮影用補助カード１０１に付されている位置決めマーク１０２の存在により、コードリーダは領域２０３の位置を高精度で把握し、正しくコードを解読する。
【００２６】
図５は、携帯電話のカメラを使用して、領域２０３を撮影する態様を示す説明図である。
図５において、５０１は携帯電話であり、５０２は携帯電話の液晶画面であり、２０１は印刷物であり、１０１はコード埋め込み画像撮影用補助カードである。なお、実際には、携帯電話の液晶画面５０２の中に、領域２０３を図５に描かれている様子より、拡大して撮影するが、図５においては、理解の容易のために、携帯電話の画面５０２にコード埋め込み画像撮影用補助カード１０１全体を写した図を描いている。
【図面の簡単な説明】
【００２７】
【図１】本考案に係るコード埋め込み画像撮影用補助カードの構成を示す説明図である
【図２】新コードが印刷物に使用されている様子を説明するための説明図である。
【図３】位置決め用マークを示す説明図である。
【図４】本考案に係るコード埋め込み画像撮影用補助カードを印刷物２０１の上に置いた様子を示す説明図である。
【図５】携帯電話のカメラを使用して、領域２０３を撮影する様子を示す説明図である。
【符号の説明】
【００２８】
１０１      本考案に係るコード埋め込み画像撮影用補助カード
１０２      位置決め用マーク
１０３      開口部
【図１】
0003135616.tif 000003
【図２】
0003135616.tif 000004
【図３】
0003135616.tif 000005
【図４】
0003135616.tif 000006
【図５】
0003135616.tif 000007